(57)【要約】【課題】  多品種少量生産に好適であり、市場のデザイン評価などによる売れ残りのリスクも小さくすることができる茣蓙敷物などの線状材料を織成した製品を提供する。【解決手段】  茣蓙敷物Ａ１の柄や模様は、共通柄要素と、共通柄要素に付加される個別柄要素により構成されている。共通柄要素である野山の背景柄３、３ａと縁柄３０、線柄３１は、色の異なる複数種の藺草を織成して茣蓙部１、１ａをつくると共に織り出して表されている。個別柄要素である家の柄４０、４０ａ、木の柄４１、４１ａ、鳥の柄４２、４２ａは、織成とは異なる刺繍により表されている。【選択図】        図１
2007100233.tif 000002
【特許請求の範囲】
【請求項１】
柄の共通デザインとなる共通柄要素(3,3a,30,31)と、個別柄要素(40,40a,41,41a,42,42a)を有しており、
共通柄要素(3,3a,30,31)は線状材料の織成によって表されており、個別柄要素(40,40a,41,41a,42,42a)は織成とは異なる柄作製手段により表されていることを特徴とする、
線状材料を織成した製品。
【請求項２】
織成した製品の柄または／及び模様は、共通デザインとなる共通柄要素(3,3a,30,31)と個別柄要素(40,40a,41,41a,42,42a)により構成されており、
共通柄要素(3,3a,30,31)は、色または素材が異なる線状材料を織成することにより織り出して表されており、
個別柄要素(40,40a,41,41a,42,42a)は、織成とは異なる柄作製手段により表されていることを特徴とする、
線状材料を織成した製品。
【請求項３】
線状材料が藺草であることを特徴とする、
請求項１または２記載の線状材料を織成した製品。
【請求項４】
柄の共通デザインとなる共通柄要素(3,3a,30,31)を線状材料の織成によって表し、その後、個別柄要素(40,40a,41,41a,42,42a)を織成とは異なる柄作製手段により表すことを特徴とする、
線状材料を織成した製品の製造方法。
【請求項５】
織成した製品の柄または／及び模様の共通デザインとなる共通柄要素(3,3a,30,31)を色または素材が異なる線状材料を織成することにより織り出して表し、
個別柄要素(40,40a,41,41a,42,42a)を織成とは異なる柄作製手段により表すことを特徴とする、
線状材料を織成した製品の製造方法。
【発明の詳細な説明】
【技術分野】
【０００１】
本発明は、線状材料を織成した製品及びその製造方法に関するものである。更に詳しくは、表面に所要の柄または模様を表した茣蓙敷物などの線状材料を織成した製品であって、柄の共通デザインとなる共通柄要素は藺草などの線状材料の織成によって表されており、個別柄要素は織成とは異なる刺繍など他の柄作製手段により表されたもの及びその製造方法に関する。
【背景技術】
【０００２】
例えば茣蓙敷物など、線状材料を織成した製品に柄または模様などを表す技術としては、従来よりジャカード織りが一般的である（特許文献１参照）。
ジャカード織りを行うジャカード機は、模様を合わせ穴を開けた紋紙で経糸の開口を制御して模様を織り出す機械であり、経糸１本１本を操作するので繊細で多彩な表現が可能である。このような柄または模様などを表した茣蓙敷物を製造するときは、通常は専用の紋紙を制作し、これによって柄または模様のすべてを一度に織り出すようにしている。
【特許文献１】特開平１１−１５８７４９
【発明の開示】
【発明が解決しようとする課題】
【０００３】
しかしながら、上記のような織成方法により製造される茣蓙敷物には、次のような課題があった。
すなわち、上記のように柄または模様のすべてを一度に織り出すので、紋紙をつくるためのコストが高くなるだけでなく、一枚当たりの製造に要する時間も比較的長くなる。
このため、茣蓙敷物の製造コストが高くなり、特に採算が取りにくい多品種少量生産には向いていない。また、製造コストを下げるには一つの製品の生産量を多くする必要があるが、この場合は市場のデザイン評価などによる売れ残りのリスクが大きくなるという問題が生じる。
【０００４】
（本発明の目的）
本発明の目的は、表面に所要の柄または模様を表した茣蓙敷物などの線状材料を織成した製品であって、多品種少量生産に好適であり、市場のデザイン評価などによる売れ残りのリスクも小さくすることができる線状材料を織成した製品及びその製造方法を提供することである。
【課題を解決するための手段】
【０００５】
上記課題を解決するために本発明が講じた手段は次のとおりである。
【０００６】
第１の発明にあっては、
柄の共通デザインとなる共通柄要素と、個別柄要素を有しており、
共通柄要素は線状材料の織成によって表されており、個別柄要素は織成とは異なる柄作製手段により表されていることを特徴とする、
線状材料を織成した製品である。
【０００７】
第２の発明にあっては、
織成した製品の柄または／及び模様は、共通デザインとなる共通柄要素と個別柄要素により構成されており、
共通柄要素は、色または素材が異なる線状材料を織成することにより織り出して表されており、
個別柄要素は、織成とは異なる柄作製手段により表されていることを特徴とする、
線状材料を織成した製品である。
【０００８】
第３の発明にあっては、
線状材料が藺草であることを特徴とする、
第１または第２の発明に係る線状材料を織成した製品である。
【０００９】
第４の発明にあっては、
柄の共通デザインとなる共通柄要素を線状材料の織成によって表し、その後、個別柄要素を織成とは異なる柄作製手段により表すことを特徴とする、
線状材料を織成した製品の製造方法である。
【００１０】
第５の発明にあっては、
織成した製品の柄または／及び模様の共通デザインとなる共通柄要素を色または素材が異なる線状材料を織成することにより織り出して表し、
個別柄要素を織成とは異なる柄作製手段により表すことを特徴とする、
線状材料を織成した製品の製造方法である。
【００１１】
線状材料を織成した製品としては、各種藺草製品、例えば茣蓙敷物、畳表、座布団の外袋、タペストリーなどの各種装飾品などであるが、これらに限定されるものではない。
また、線状材料としては、藺草の他、例えば合成樹脂製の細いチューブや線材、竹や木または籐製のひご、麻や綿などの植物繊維でつくられた紐状物、更にはそれらを複合したものなどがあげられるが、これらに限定はされない。
【００１２】
共通柄要素とは、多色あるいは単色の柄または模様の共通デザインとなるものである。例えば、野山や海あるいは空などを表した背景柄、あるいはチェック柄など各種の地模様などがあげられるが、これらに限定するものではない。
【００１３】
個別柄要素とは、例えば共通柄要素と組み合わさることにより、あるいは並べて表されたり重ねて表されることにより、柄または模様の全体のなかでの特色または個性を発揮する柄要素である。例えば、共通柄要素が野山の背景柄である場合では、キノコや木々や家、蝶やトンボあるいはリスやウサギなどであり、同じく海の背景柄である場合では、イルカや魚あるいはカモメなどであり、同じく空の背景柄である場合では、鳥あるいは太陽や月、星などであるが、これらに限定はされない。
【００１４】
織成とは異なる柄作製手段としては、刺繍の他、捺染など各種印刷やプリント、あるいは特殊なものとして手描きなどがあげられるが、例えば共通柄要素と組み合わさるように柄または模様を付加できる手段であれば、これらに限定はされない。
なお、捺染は、機械捺染と手工捺染とに大別されるが、そのいずれで行ってもよく、その様式も直接捺染法、抜染法、防染法のいずれも採用可能である。
【００１５】
（作用）
本発明に係る線状材料を織成した製品の作用を茣蓙敷物を例にとり説明する。なお、ここでは本発明の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００１６】
茣蓙敷物を製造するに当たっては、作製する柄または／及び模様（柄または模様あるいは柄及び模様）を構成する共通柄要素(3,3a,30,31)と個別柄要素(40,40a,41,41a,42,42a)のうち、共通柄要素(3,3a,30,31)を織り出すことができる専用の紋紙を制作する。
そして、この紋紙を使用し、ジャカード織りによって共通柄要素(3,3a,30,31)を表面に織り出して表した茣蓙(1,1a)を織成する。この茣蓙(1,1a)が色々な柄または模様を有する茣蓙敷物を製造するときに使用されるベース部分となる。上記茣蓙(1,1a)をベースとして、茣蓙(1,1a)に個別柄要素(40,40a,41,41a,42,42a)を刺繍など織成以外の手段で表す。
【００１７】
上記共通柄要素(3,3a,30,31)を表した茣蓙(1,1a)をつくるにあたっては、まず作製する柄または模様のすべてではなく、一部だけを織り出すことになるので、すべての柄または模様を一度に織り出す場合と比較して紋紙を制作するためのコストを安価に抑えることができる。また、ベース部分となる茣蓙(1,1a)一枚当たりの製造に要する時間も短くなる。したがって、上記茣蓙(1,1a)を安価に製造することができる。
【００１８】
また、茣蓙敷物は共通柄要素(3,3a,30,31)を表面に表した茣蓙に個別柄要素(40,40a,41,41a,42,42a)を付加して柄または模様の特徴付けをするので、例えば上記茣蓙(1,1a)を安価にかつ大量に生産しておけば、後に任意の個別柄要素(40,40a,41,41a,42,42a)を付加したできあがりの茣蓙敷物全体の製造コストを安価にすることが可能になる。したがって、一般に採算が取りにくい多品種少量生産にも十分に対応できる。
【００１９】
更に、上記のように採算を取りながら多品種少量生産が可能であるので、市場の動向を見ながら柄または模様の異なる製品ごとの生産計画をたてることが可能になる。したがって、例えば従来のように製造コストを下げるために柄または模様が異なる製品をそれぞれ大量に生産する場合と相違して、市場のデザイン評価などによる売れ残りのリスクを冒す必要がない。
【発明の効果】
【００２０】
本発明は次のような効果を有する。
（ａ）本発明によれば、共通柄要素を有する織成物に個別柄要素を付加して柄または模様の特徴付けをするので、全体として異なる柄または模様を有する製品を容易につくることができ、多品種少量生産に対応できる。
【００２１】
（ｂ）本発明によれば、例えば共通柄要素を表面に表したベースとなる織成物だけは事前に製造しておき、その後売れ行きあるいは注文に応じて任意の個別柄要素を後で設けて製造できるので、市場の動向に対応した生産計画がたてやすい。したがって、市場のデザイン評価などによる売れ残りのリスクを冒す必要がない。
【発明を実施するための最良の形態】
【００２２】
本発明を図に示した実施例に基づき詳細に説明する。
【実施例１】
【００２３】
図１は本発明に係る茣蓙敷物の第１実施の形態を示す平面図、
図２は第１実施の形態の茣蓙敷物の製造過程において共通柄要素だけを織り出して表し個別柄要素は表していない状態を示す平面図である。
【００２４】
茣蓙敷物Ａ１は、線状材料である藺草を織成した製品であり、二畳敷きの正方形状である。茣蓙敷物Ａ１は、それぞれ一畳の広さの茣蓙部１、１ａを有している。茣蓙部１、１ａは、藺草で織成されており、中央で二折りができるようにつながれている構造である。つながれた茣蓙部１、１ａの外周部の四辺には、縁布２が縫い着けられている。
【００２５】
茣蓙部１、１ａには、共通柄要素を構成する縁柄３０、野山の背景柄３、３ａ、線柄３１が織り出して表してある（図２参照）。
縁柄３０は、縁布２の内側に全周にわたり表されている。また、縁柄３０の内側で、かつ茣蓙部１、１ａのたて糸方向（図１で上下方向）の両端部には、野山の背景柄３と３ａが相対向して表されている。
【００２６】
野山の背景柄３、３ａは、内側の縁が山形または波形になるように、かつ茣蓙部１から茣蓙部１ａにわたるように表されている。また、両側の背景柄３と３ａは互いに点対称になるように表されている。茣蓙部１、１ａのうち縁柄３０と野山の背景柄３、３ａ以外の部分には、よこ糸方向の全長にわたる線柄３１がたて糸方向に等間隔で多数表されている。
【００２７】
一方の野山の背景柄３の茣蓙部１側には、野山の背景柄３の内側に、個別柄要素を構成する家の柄４０、木の柄４１、鳥の柄４２の各柄が表されている。これらの柄は刺繍により表されている。なお、刺繍による表現は、色が異なる藺草の織り出しによる縁柄３０や野山の背景柄３、３ａと比較して、より繊細で多彩な表現が可能である。
【００２８】
また、野山の背景柄３の茣蓙部１ａ側には、野山の背景柄３の内側に、木の柄４１が表されている。
なお、他方の野山の背景柄３ａの内側にも、個別柄要素を構成する家の柄４０ａ、木の柄４１ａ、鳥の柄４２ａが刺繍により表されている。これらの柄は、上記家の柄４０、木の柄４１、鳥の柄４２とは、全体として点対称に表されている。
【００２９】
（作用）
次に、上記茣蓙敷物Ａ１を製造する方法及び作用を説明する。
茣蓙敷物Ａ１を製造するに当たっては、茣蓙部１、１ａに共通柄要素を構成する縁柄３０、野山の背景柄３、３ａ、線柄３１を織り出すことができる専用の紋紙（図示省略）を制作する。そして、この紋紙を使用し、ジャカード織りによって上記共通柄要素を表面に織り出して表した茣蓙部１、１ａを織成する（図２参照）。
茣蓙部１、１ａの外周部の四辺に縁布２を縫い着ける。縁布２を縫い着けた茣蓙部１、１ａが茣蓙敷物Ａ１を製造するときに使用されるベース部分となる。
【００３０】
上記縁布２を縫い着けた茣蓙部１、１ａをベースとして、茣蓙部１、１ａに個別柄要素を構成する家の柄４０、木の柄４１、鳥の柄４２及び家の柄４０ａ、木の柄４１ａ、鳥の柄４２ａを刺繍（通常は自動刺繍機によるが手刺繍でもよい）により表す。
【００３１】
上記共通柄要素を表した茣蓙部１、１ａをつくるにあたっては、まず作製する柄または模様のすべてではなく一部だけを織り出すことになるので、すべての柄または模様を一度に織り出す場合と比較して紋紙を制作するためのコストを安価に抑えることができる。また、ベース部分となる茣蓙一枚当たりの製造に要する時間も短くなる。したがって、上記茣蓙部１、１ａを安価に製造することができる。
【００３２】
また、茣蓙敷物Ａ１は共通柄要素を表面に表した茣蓙部１、１ａに個別柄要素を付加して柄または模様の特徴付けをするので、例えば上記茣蓙を安価にかつ大量に生産しておけば、後に個別柄要素を付加したできあがりの茣蓙敷物Ａ１全体の製造コストを安価にすることが可能になる。したがって、個別柄要素を任意の柄に変えるだけで、一般に採算が取りにくい多品種少量生産にも十分に対応できる。
【００３３】
また、例えば市場で競合する複数の得意先に対しても、共通柄要素による共通デザインは共通でも、個別柄要素による具体的なデザインを異にした製品を容易につくることができるので、得意先との間の競合を回避でき、全体としての売り上げ向上も期待できる。
なお、以下の実施例に示す茣蓙敷物Ａ２、Ａ３、Ａ４は個別柄要素のバリエーションの例を示すものである。
【実施例２】
【００３４】
図３は本発明に係る茣蓙敷物の第２実施の形態を示す平面図である。
【００３５】
茣蓙敷物Ａ２は、個別柄要素以外は、上記茣蓙敷物Ａ１と同様の構造であるので、構造について重複する部分の説明は省略し、その部分は図面において同じ符号を付して示す。
【００３６】
茣蓙敷物Ａ２において個別柄要素を構成するのは、茣蓙敷物Ａ２と同様の家の柄４０、及び花の柄４３、小鳥の柄４４である。なお、家の柄４０、花の柄４３、小鳥の柄４４と点対称に家の柄４０ａ、花の柄４３ａ、小鳥の柄４４ａが表されている。
【実施例３】
【００３７】
図４は本発明に係る茣蓙敷物の第３実施の形態を示す平面図である。
【００３８】
茣蓙敷物Ａ３は、個別柄要素以外は、上記茣蓙敷物Ａ１と同様の構造であるので、構造について重複する部分の説明は省略し、その部分は図面において同じ符号を付して示す。
【００３９】
茣蓙敷物Ａ３において個別柄要素を構成するのは、木の柄４５、木の実や葉の柄４６、リスの柄４７である。なお、木の柄４５、木の実や葉の柄４６、リスの柄４７と点対称に木の柄４５ａ、木の実や葉の柄４６ａ、リスの柄４７ａが表されている。
【００４０】
茣蓙敷物Ａ２、Ａ３の野山の背景柄３、３ａは、上記茣蓙敷物Ａ１と同様の柄であるが、色調をそれぞれ変えることもできる。例えば、春夏の野山を表すように緑色を基調としたり、秋冬の野山を表すように枯れ色である茶色を基調とするなどである。
【実施例４】
【００４１】
図５は本発明に係る茣蓙敷物の第４実施の形態を示す平面図である。
【００４２】
茣蓙敷物Ａ４は、個別柄要素以外は、上記茣蓙敷物Ａ１と同様の構造であるので、構造について重複する部分の説明は省略し、その部分は図面において同じ符号を付して示す。
【００４３】
茣蓙敷物Ａ４において共通柄要素を構成する波の背景柄３ｂ、３ｃは、上記茣蓙敷物Ａ１、Ａ２、Ａ３の野山の背景柄３、３ａと同様の形状を有しているが、色調が青色を基調としており、海を表している。
茣蓙敷物Ａ４の個別柄要素を構成するのは、ヨットの柄４８、魚の柄４９、及び泡の柄４００である。なお、ヨットの柄４８、魚の柄４９、及び泡の柄４００と点対称にヨットの柄４８ａ、魚の柄４９ａ、及び泡の柄４００ａが表されている。
【実施例５】
【００４４】
図６は本発明に係る茣蓙敷物の第５実施の形態を示す平面図、
図７は第５実施の形態の茣蓙敷物の製造過程において共通柄要素だけを織り出して表し個別柄要素は表していない状態を示す平面図である。
【００４５】
茣蓙敷物Ａ５は、上記茣蓙敷物Ａ１〜Ａ４と共通柄要素と個別柄要素が異なるだけで、茣蓙部１ｂ、１ｃそのものの構造は茣蓙部１、１ａと同様であるので、構造の説明は省略し、共通柄要素と個別柄要素の違いについてのみ説明する。
【００４６】
茣蓙部１ｂ、１ｃには、その外周部に表された共通柄要素を構成する柄である大地の背景柄３２と、中央部に表された柄であるチェック柄３３が織り出して表してある（図７参照）。
大地の背景柄３２は、縁布２の内側に同じ幅で全周にわたり表されている。また。チェック柄３３は茣蓙部１ｂ、１ｃの中央に、かつ双方にわたり外形が長方形状になるように表してある。チェック柄３３は、枡部（符号省略）がそれぞれ正方形状になるように表してあり、枡部の数は８×１２個である。
【００４７】
大地の背景柄３２の四辺のそれぞれの内側には、個別柄要素である木立の柄５０が表されている。木立の柄５０は、相対向する位置にある一組が点対称になるように表されている。
なお、茣蓙敷物Ａ５の製造方法及び作用については大体において上記茣蓙敷物Ａ１と同様であるので説明を省略する。
また、以下の実施例に示す茣蓙敷物Ａ６、Ａ７は個別柄要素のバリエーションの例を示すものである。
【実施例６】
【００４８】
図８は本発明に係る茣蓙敷物の第６実施の形態を示す平面図である。
【００４９】
茣蓙敷物Ａ６は、個別柄要素以外は、上記茣蓙敷物Ａ５と同様の構造であるので、構造について重複する部分の説明は省略し、その部分は図面において同じ符号を付して示す。
茣蓙敷物Ａ６の個別柄要素を構成するのは、草木の柄５１である。草木の柄５１は、相対向する位置にある一組が点対称になるように表されている。
【実施例７】
【００５０】
図９は本発明に係る茣蓙敷物の第７実施の形態を示す平面図である。
【００５１】
茣蓙敷物Ａ７は、個別柄要素以外は、上記茣蓙敷物Ａ５と同様の構造であるので、構造について重複する部分の説明は省略し、その部分は図面において同じ符号を付して示す。
茣蓙敷物Ａ７の個別柄要素を構成するのは、茣蓙敷物Ａ６の草木の柄５１とは異なる草木の柄５２である。草木の柄５２は、相対向する位置にある一組が点対称になるように表されている。
【００５２】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００５３】
【図１】本発明に係る茣蓙敷物の第１実施の形態を示す平面図。
【図２】第１実施の形態の茣蓙敷物の製造過程において共通柄要素だけを織り出して表し個別柄要素は表していない状態を示す平面図。
【図３】本発明に係る茣蓙敷物の第２実施の形態を示す平面図。
【図４】本発明に係る茣蓙敷物の第３実施の形態を示す平面図。
【図５】本発明に係る茣蓙敷物の第４実施の形態を示す平面図。
【図６】本発明に係る茣蓙敷物の第５実施の形態を示す平面図。
【図７】第５実施の形態の茣蓙敷物の製造過程において共通柄要素だけを織り出して表し個別柄要素は表していない状態を示す平面図。
【図８】本発明に係る茣蓙敷物の第６実施の形態を示す平面図。
【図９】本発明に係る茣蓙敷物の第７実施の形態を示す平面図。
【符号の説明】
【００５４】
Ａ１  茣蓙敷物
１、１ａ  茣蓙部
２  縁布
３、３ａ  野山の背景柄
３０  縁柄
３１  線柄
４０、４０ａ  家の柄
４１、４１ａ  木の柄
４２、４２ａ  鳥の柄
Ａ２  茣蓙敷物
４３、４３ａ  花の柄
４４、４４ａ  小鳥の柄
Ａ３  茣蓙敷物
４５、４５ａ  木の柄
４６、４６ａ  木の実や葉の柄
４７、４７ａ  リスの柄
Ａ４  茣蓙敷物
３ｂ、３ｃ  波の背景柄
４８、４８ａ  ヨットの柄
４９、４９ａ  魚の柄
４００、４００ａ  泡の柄
Ａ５  茣蓙敷物
１ｂ、１ｃ  茣蓙部
３２  大地の背景柄
３３  チェック柄
５０  木立の柄
Ａ６  茣蓙敷物
５１  草木の柄
Ａ７  茣蓙敷物
５２  草木の柄
【図１】
2007100233.tif 000003
【図２】
2007100233.tif 000004
【図３】
2007100233.tif 000005
【図４】
2007100233.tif 000006
【図５】
2007100233.tif 000007
【図６】
2007100233.tif 000008
【図７】
2007100233.tif 000009
【図８】
2007100233.tif 000010
【図９】
2007100233.tif 000011
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
藺草で織成された茣蓙部(1,1a)を有し、該茣蓙部(1,1a)の外周部には縁布(2)が縫い着けられている茣蓙敷物であって、
作製する柄または模様は共通柄要素(3,3a,30,31)と個別柄要素(40,40a,41,41a,42,42a)で構成され、該各柄要素のうち、ジャカード織りによって共通柄要素(3,3a,30,31)を表面に織り出して得られた茣蓙部(1,1a)を生産しておき、該茣蓙部(1,1a)をベースとして個別柄要素(40,40a,41,41a,42,42a)を織成とは異なる柄作製手段で表した、茣蓙敷物。
【請求項２】
藺草で織成された茣蓙部(1,1a)を有し、該茣蓙部(1,1a)の外周部には縁布(2)が縫い着けられている茣蓙敷物であって、
作製する柄または模様は共通柄要素(3,3a,30,31)と個別柄要素(40,40a,41,41a,42,42a)で構成され、該各柄要素のうち、共通柄要素(3,3a,30,31)を織り出すことができる紋紙を制作し、該紋紙を使用しジャカード織りによって共通柄要素(3,3a,30,31)を表面に織り出して得られた茣蓙部(1,1a)を生産しておき、該茣蓙部(1,1a)をベースとして個別柄要素(40,40a,41,41a,42,42a)を織成とは異なる柄作製手段で表した、茣蓙敷物。
【請求項３】
藺草で織成された茣蓙部(1,1a)を有し、該茣蓙部(1,1a)の外周部には縁布(2)が縫い着けられている茣蓙敷物の製造方法であって、
作製する柄または模様は共通柄要素(3,3a,30,31)と個別柄要素(40,40a,41,41a,42,42a)で構成され、該各柄要素のうち、ジャカード織りによって共通柄要素(3,3a,30,31)を表面に織り出して得られた茣蓙部(1,1a)を生産する工程、
該茣蓙部(1,1a)をベースとして個別柄要素(40,40a,41,41a,42,42a)を織成とは異なる柄作製手段で表す工程、
を含む、茣蓙敷物の製造方法。
【手続補正２】
【補正対象書類名】明細書
【補正対象項目名】全文
【補正方法】変更
【補正の内容】
【発明の詳細な説明】
【技術分野】
【０００１】
本発明は、茣蓙敷物に関するものである。更に詳しくは、表面に所要の柄または模様を表した茣蓙敷物であって、柄の共通デザインとなる共通柄要素は藺草などの線状材料の織成によって表されており、個別柄要素は織成とは異なる刺繍など他の柄作製手段により表されたものに関する。
【背景技術】
【０００２】
例えば茣蓙敷物など、線状材料を織成した製品に柄または模様などを表す技術としては、従来よりジャカード織りが一般的である（特許文献１参照）。
ジャカード織りを行うジャカード機は、模様を合わせ穴を開けた紋紙で経糸の開口を制御して模様を織り出す機械であり、経糸１本１本を操作するので繊細で多彩な表現が可能である。このような柄または模様などを表した茣蓙敷物を製造するときは、通常は専用の紋紙を制作し、これによって柄または模様のすべてを一度に織り出すようにしている。
【０００３】
【特許文献１】特開平１１−１５８７４９
【発明の開示】
【発明が解決しようとする課題】
【０００４】
しかしながら、上記のような織成方法により製造される茣蓙敷物には、次のような課題があった。
すなわち、上記のように柄または模様のすべてを一度に織り出すので、紋紙をつくるためのコストが高くなるだけでなく、一枚当たりの製造に要する時間も比較的長くなる。
このため、茣蓙敷物の製造コストが高くなり、特に採算が取りにくい多品種少量生産には向いていない。また、製造コストを下げるには一つの製品の生産量を多くする必要があるが、この場合は市場のデザイン評価などによる売れ残りのリスクが大きくなるという問題が生じる。
【０００５】
（本発明の目的）
本発明の目的は、表面に所要の柄または模様を表した茣蓙敷物などの線状材料を織成した製品であって、多品種少量生産に好適であり、市場のデザイン評価などによる売れ残りのリスクも小さくすることができる線状材料を織成した製品及びその製造方法を提供することである。
【課題を解決するための手段】
【０００６】
上記課題を解決するために本発明が講じた手段は次のとおりである。
【０００７】
本発明は、藺草で織成された茣蓙部を有し、該茣蓙部の外周部には縁布が縫い着けられている茣蓙敷物であって、
作製する柄または模様は共通柄要素と個別柄要素で構成され、該各柄要素のうち、ジャカード織りによって共通柄要素を表面に織り出して得られた茣蓙部を生産しておき、該茣蓙部をベースとして個別柄要素を織成とは異なる柄作製手段で表した、茣蓙敷物である。
【０００８】
本発明は、藺草で織成された茣蓙部を有し、該茣蓙部の外周部には縁布が縫い着けられている茣蓙敷物であって、
作製する柄または模様は共通柄要素と個別柄要素で構成され、該各柄要素のうち、共通柄要素を織り出すことができる紋紙を制作し、該紋紙を使用しジャカード織りによって共通柄要素を表面に織り出して得られた茣蓙部を生産しておき、該茣蓙部をベースとして個別柄要素を織成とは異なる柄作製手段で表した、茣蓙敷物である。
【０００９】
本発明は、藺草で織成された茣蓙部を有し、該茣蓙部の外周部には縁布が縫い着けられている茣蓙敷物の製造方法であって、
作製する柄または模様は共通柄要素と個別柄要素で構成され、該各柄要素のうち、ジャカード織りによって共通柄要素を表面に織り出して得られた茣蓙部を生産する工程、
該茣蓙部をベースとして個別柄要素を織成とは異なる柄作製手段で表す工程、
を含む、茣蓙敷物の製造方法である。
【００１０】
線状材料を織成した製品としては、各種藺草製品、例えば茣蓙敷物、畳表、座布団の外袋、タペストリーなどの各種装飾品などであるが、これらに限定されるものではない。
また、線状材料としては、藺草の他、例えば合成樹脂製の細いチューブや線材、竹や木または籐製のひご、麻や綿などの植物繊維でつくられた紐状物、更にはそれらを複合したものなどがあげられるが、これらに限定はされない。
【００１１】
共通柄要素とは、多色あるいは単色の柄または模様の共通デザインとなるものである。
例えば、野山や海あるいは空などを表した背景柄、あるいはチェック柄など各種の地模様などがあげられるが、これらに限定するものではない。
【００１２】
個別柄要素とは、例えば共通柄要素と組み合わさることにより、あるいは並べて表されたり重ねて表されることにより、柄または模様の全体のなかでの特色または個性を発揮する柄要素である。例えば、共通柄要素が野山の背景柄である場合では、キノコや木々や家、蝶やトンボあるいはリスやウサギなどであり、同じく海の背景柄である場合では、イルカや魚あるいはカモメなどであり、同じく空の背景柄である場合では、鳥あるいは太陽や月、星などであるが、これらに限定はされない。
【００１３】
織成とは異なる柄作製手段としては、刺繍の他、捺染など各種印刷やプリント、あるいは特殊なものとして手描きなどがあげられるが、例えば共通柄要素と組み合わさるように柄または模様を付加できる手段であれば、これらに限定はされない。
なお、捺染は、機械捺染と手工捺染とに大別されるが、そのいずれで行ってもよく、その様式も直接捺染法、抜染法、防染法のいずれも採用可能である。
【００１４】
（作用）
本発明に係る線状材料を織成した製品の作用を茣蓙敷物を例にとり説明する。なお、ここでは本発明の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００１５】
茣蓙敷物を製造するに当たっては、作製する柄または／及び模様（柄または模様あるいは柄及び模様）を構成する共通柄要素(3,3a,30,31)と個別柄要素(40,40a,41,41a,42,42a)のうち、共通柄要素(3,3a,30,31)を織り出すことができる専用の紋紙を制作する。
そして、この紋紙を使用し、ジャカード織りによって共通柄要素(3,3a,30,31)を表面に織り出して表した茣蓙(1,1a)を織成する。この茣蓙(1,1a)が色々な柄または模様を有する茣蓙敷物を製造するときに使用されるベース部分となる。上記茣蓙(1,1a)をベースとして、茣蓙(1,1a)に個別柄要素(40,40a,41,41a,42,42a)を刺繍など織成以外の手段で表す。
【００１６】
上記共通柄要素(3,3a,30,31)を表した茣蓙(1,1a)をつくるにあたっては、まず作製する柄または模様のすべてではなく、一部だけを織り出すことになるので、すべての柄または模様を一度に織り出す場合と比較して紋紙を制作するためのコストを安価に抑えることができる。また、ベース部分となる茣蓙(1,1a)一枚当たりの製造に要する時間も短くなる。
したがって、上記茣蓙(1,1a)を安価に製造することができる。
【００１７】
また、茣蓙敷物は共通柄要素(3,3a,30,31)を表面に表した茣蓙に個別柄要素(40,40a,41,41a,42,42a)を付加して柄または模様の特徴付けをするので、例えば上記茣蓙(1,1a)を安価にかつ大量に生産しておけば、後に任意の個別柄要素(40,40a,41,41a,42,42a)を付加したできあがりの茣蓙敷物全体の製造コストを安価にすることが可能になる。したがって、一般に採算が取りにくい多品種少量生産にも十分に対応できる。
【００１８】
更に、上記のように採算を取りながら多品種少量生産が可能であるので、市場の動向を見ながら柄または模様の異なる製品ごとの生産計画をたてることが可能になる。したがって、例えば従来のように製造コストを下げるために柄または模様が異なる製品をそれぞれ大量に生産する場合と相違して、市場のデザイン評価などによる売れ残りのリスクを冒す必要がない。
【発明の効果】
【００１９】
本発明は次のような効果を有する。
（ａ）本発明によれば、共通柄要素を有する織成物に個別柄要素を付加して柄または模様の特徴付けをするので、全体として異なる柄または模様を有する茣蓙敷物を容易につくることができ、多品種少量生産に対応できる。
【００２０】
（ｂ）本発明によれば、例えば共通柄要素を表面に表したベースとなる織成物だけは事前に製造しておき、その後売れ行きあるいは注文に応じて任意の個別柄要素を後で設けて製造できるので、市場の動向に対応した生産計画がたてやすい。したがって、市場のデザイン評価などによる売れ残りのリスクを冒す必要がない。
【発明を実施するための最良の形態】
【００２１】
本発明を図に示した実施例に基づき詳細に説明する。
【実施例１】
【００２２】
図１は本発明に係る茣蓙敷物の第１実施の形態を示す平面図、
図２は第１実施の形態の茣蓙敷物の製造過程において共通柄要素だけを織り出して表し個別柄要素は表していない状態を示す平面図である。
【００２３】
茣蓙敷物Ａ１は、線状材料である藺草を織成した製品であり、二畳敷きの正方形状である。茣蓙敷物Ａ１は、それぞれ一畳の広さの茣蓙部１、１ａを有している。茣蓙部１、１ａは、藺草で織成されており、中央で二折りができるようにつながれている構造である。
つながれた茣蓙部１、１ａの外周部の四辺には、縁布２が縫い着けられている。
【００２４】
茣蓙部１、１ａには、共通柄要素を構成する縁柄３０、野山の背景柄３、３ａ、線柄３１が織り出して表してある（図２参照）。
縁柄３０は、縁布２の内側に全周にわたり表されている。また、縁柄３０の内側で、かつ茣蓙部１、１ａのたて糸方向（図１で上下方向）の両端部には、野山の背景柄３と３ａが相対向して表されている。
【００２５】
野山の背景柄３、３ａは、内側の縁が山形または波形になるように、かつ茣蓙部１から茣蓙部１ａにわたるように表されている。また、両側の背景柄３と３ａは互いに点対称になるように表されている。茣蓙部１、１ａのうち縁柄３０と野山の背景柄３、３ａ以外の部分には、よこ糸方向の全長にわたる線柄３１がたて糸方向に等間隔で多数表されている。
【００２６】
一方の野山の背景柄３の茣蓙部１側には、野山の背景柄３の内側に、個別柄要素を構成する家の柄４０、木の柄４１、鳥の柄４２の各柄が表されている。これらの柄は刺繍により表されている。なお、刺繍による表現は、色が異なる藺草の織り出しによる縁柄３０や野山の背景柄３、３ａと比較して、より繊細で多彩な表現が可能である。
【００２７】
また、野山の背景柄３の茣蓙部１ａ側には、野山の背景柄３の内側に、木の柄４１が表されている。
なお、他方の野山の背景柄３ａの内側にも、個別柄要素を構成する家の柄４０ａ、木の柄４１ａ、鳥の柄４２ａが刺繍により表されている。これらの柄は、上記家の柄４０、木の柄４１、鳥の柄４２とは、全体として点対称に表されている。
【００２８】
（作用）
次に、上記茣蓙敷物Ａ１を製造する方法及び作用を説明する。
茣蓙敷物Ａ１を製造するに当たっては、茣蓙部１、１ａに共通柄要素を構成する縁柄３０、野山の背景柄３、３ａ、線柄３１を織り出すことができる専用の紋紙（図示省略）を制作する。そして、この紋紙を使用し、ジャカード織りによって上記共通柄要素を表面に織り出して表した茣蓙部１、１ａを織成する（図２参照）。
茣蓙部１、１ａの外周部の四辺に縁布２を縫い着ける。縁布２を縫い着けた茣蓙部１、１ａが茣蓙敷物Ａ１を製造するときに使用されるベース部分となる。
【００２９】
上記縁布２を縫い着けた茣蓙部１、１ａをベースとして、茣蓙部１、１ａに個別柄要素を構成する家の柄４０、木の柄４１、鳥の柄４２及び家の柄４０ａ、木の柄４１ａ、鳥の柄４２ａを刺繍（通常は自動刺繍機によるが手刺繍でもよい）により表す。
【００３０】
上記共通柄要素を表した茣蓙部１、１ａをつくるにあたっては、まず作製する柄または模様のすべてではなく一部だけを織り出すことになるので、すべての柄または模様を一度に織り出す場合と比較して紋紙を制作するためのコストを安価に抑えることができる。また、ベース部分となる茣蓙一枚当たりの製造に要する時間も短くなる。したがって、上記茣蓙部１、１ａを安価に製造することができる。
【００３１】
また、茣蓙敷物Ａ１は共通柄要素を表面に表した茣蓙部１、１ａに個別柄要素を付加して柄または模様の特徴付けをするので、例えば上記茣蓙を安価にかつ大量に生産しておけば、後に個別柄要素を付加したできあがりの茣蓙敷物Ａ１全体の製造コストを安価にすることが可能になる。したがって、個別柄要素を任意の柄に変えるだけで、一般に採算が取りにくい多品種少量生産にも十分に対応できる。
【００３２】
また、例えば市場で競合する複数の得意先に対しても、共通柄要素による共通デザインは共通でも、個別柄要素による具体的なデザインを異にした製品を容易につくることができるので、得意先との間の競合を回避でき、全体としての売り上げ向上も期待できる。
なお、以下の実施例に示す茣蓙敷物Ａ２、Ａ３、Ａ４は個別柄要素のバリエーションの例を示すものである。
【実施例２】
【００３３】
図３は本発明に係る茣蓙敷物の第２実施の形態を示す平面図である。
【００３４】
茣蓙敷物Ａ２は、個別柄要素以外は、上記茣蓙敷物Ａ１と同様の構造であるので、構造について重複する部分の説明は省略し、その部分は図面において同じ符号を付して示す。
【００３５】
茣蓙敷物Ａ２において個別柄要素を構成するのは、茣蓙敷物Ａ２と同様の家の柄４０、及び花の柄４３、小鳥の柄４４である。なお、家の柄４０、花の柄４３、小鳥の柄４４と点対称に家の柄４０ａ、花の柄４３ａ、小鳥の柄４４ａが表されている。
【実施例３】
【００３６】
図４は本発明に係る茣蓙敷物の第３実施の形態を示す平面図である。
【００３７】
茣蓙敷物Ａ３は、個別柄要素以外は、上記茣蓙敷物Ａ１と同様の構造であるので、構造について重複する部分の説明は省略し、その部分は図面において同じ符号を付して示す。
【００３８】
茣蓙敷物Ａ３において個別柄要素を構成するのは、木の柄４５、木の実や葉の柄４６、リスの柄４７である。なお、木の柄４５、木の実や葉の柄４６、リスの柄４７と点対称に木の柄４５ａ、木の実や葉の柄４６ａ、リスの柄４７ａが表されている。
【００３９】
茣蓙敷物Ａ２、Ａ３の野山の背景柄３、３ａは、上記茣蓙敷物Ａ１と同様の柄であるが、色調をそれぞれ変えることもできる。例えば、春夏の野山を表すように緑色を基調としたり、秋冬の野山を表すように枯れ色である茶色を基調とするなどである。
【実施例４】
【００４０】
図５は本発明に係る茣蓙敷物の第４実施の形態を示す平面図である。
【００４１】
茣蓙敷物Ａ４は、個別柄要素以外は、上記茣蓙敷物Ａ１と同様の構造であるので、構造について重複する部分の説明は省略し、その部分は図面において同じ符号を付して示す。
【００４２】
茣蓙敷物Ａ４において共通柄要素を構成する波の背景柄３ｂ、３ｃは、上記茣蓙敷物Ａ１、Ａ２、Ａ３の野山の背景柄３、３ａと同様の形状を有しているが、色調が青色を基調としており、海を表している。
茣蓙敷物Ａ４の個別柄要素を構成するのは、ヨットの柄４８、魚の柄４９、及び泡の柄４００である。なお、ヨットの柄４８、魚の柄４９、及び泡の柄４００と点対称にヨットの柄４８ａ、魚の柄４９ａ、及び泡の柄４００ａが表されている。
【実施例５】
【００４３】
図６は本発明に係る茣蓙敷物の第５実施の形態を示す平面図、
図７は第５実施の形態の茣蓙敷物の製造過程において共通柄要素だけを織り出して表し個別柄要素は表していない状態を示す平面図である。
【００４４】
茣蓙敷物Ａ５は、上記茣蓙敷物Ａ１〜Ａ４と共通柄要素と個別柄要素が異なるだけで、茣蓙部１ｂ、１ｃそのものの構造は茣蓙部１、１ａと同様であるので、構造の説明は省略し、共通柄要素と個別柄要素の違いについてのみ説明する。
【００４５】
茣蓙部１ｂ、１ｃには、その外周部に表された共通柄要素を構成する柄である大地の背景柄３２と、中央部に表された柄であるチェック柄３３が織り出して表してある（図７参照）。
大地の背景柄３２は、縁布２の内側に同じ幅で全周にわたり表されている。また。チェック柄３３は茣蓙部１ｂ、１ｃの中央に、かつ双方にわたり外形が長方形状になるように表してある。チェック柄３３は、枡部（符号省略）がそれぞれ正方形状になるように表してあり、枡部の数は８×１２個である。
【００４６】
大地の背景柄３２の四辺のそれぞれの内側には、個別柄要素である木立の柄５０が表されている。木立の柄５０は、相対向する位置にある一組が点対称になるように表されている。
なお、茣蓙敷物Ａ５の製造方法及び作用については大体において上記茣蓙敷物Ａ１と同様であるので説明を省略する。
また、以下の実施例に示す茣蓙敷物Ａ６、Ａ７は個別柄要素のバリエーションの例を示すものである。
【実施例６】
【００４７】
図８は本発明に係る茣蓙敷物の第６実施の形態を示す平面図である。
【００４８】
茣蓙敷物Ａ６は、個別柄要素以外は、上記茣蓙敷物Ａ５と同様の構造であるので、構造について重複する部分の説明は省略し、その部分は図面において同じ符号を付して示す。
茣蓙敷物Ａ６の個別柄要素を構成するのは、草木の柄５１である。草木の柄５１は、相対向する位置にある一組が点対称になるように表されている。
【実施例７】
【００４９】
図９は本発明に係る茣蓙敷物の第７実施の形態を示す平面図である。
【００５０】
茣蓙敷物Ａ７は、個別柄要素以外は、上記茣蓙敷物Ａ５と同様の構造であるので、構造について重複する部分の説明は省略し、その部分は図面において同じ符号を付して示す。
茣蓙敷物Ａ７の個別柄要素を構成するのは、茣蓙敷物Ａ６の草木の柄５１とは異なる草木の柄５２である。草木の柄５２は、相対向する位置にある一組が点対称になるように表されている。
【００５１】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００５２】
【図１】本発明に係る茣蓙敷物の第１実施の形態を示す平面図。
【図２】第１実施の形態の茣蓙敷物の製造過程において共通柄要素だけを織り出して表し個別柄要素は表していない状態を示す平面図。
【図３】本発明に係る茣蓙敷物の第２実施の形態を示す平面図。
【図４】本発明に係る茣蓙敷物の第３実施の形態を示す平面図。
【図５】本発明に係る茣蓙敷物の第４実施の形態を示す平面図。
【図６】本発明に係る茣蓙敷物の第５実施の形態を示す平面図。
【図７】第５実施の形態の茣蓙敷物の製造過程において共通柄要素だけを織り出して表し個別柄要素は表していない状態を示す平面図。
【図８】本発明に係る茣蓙敷物の第６実施の形態を示す平面図。
【図９】本発明に係る茣蓙敷物の第７実施の形態を示す平面図。
【符号の説明】
【００５３】
Ａ１  茣蓙敷物
１、１ａ  茣蓙部
２  縁布
３、３ａ  野山の背景柄
３０  縁柄
３１  線柄
４０、４０ａ  家の柄
４１、４１ａ  木の柄
４２、４２ａ  鳥の柄
Ａ２  茣蓙敷物
４３、４３ａ  花の柄
４４、４４ａ  小鳥の柄
Ａ３  茣蓙敷物
４５、４５ａ  木の柄
４６、４６ａ  木の実や葉の柄
４７、４７ａ  リスの柄
Ａ４  茣蓙敷物
３ｂ、３ｃ  波の背景柄
４８、４８ａ  ヨットの柄
４９、４９ａ  魚の柄
４００、４００ａ  泡の柄
Ａ５  茣蓙敷物
１ｂ、１ｃ  茣蓙部
３２  大地の背景柄
３３  チェック柄
５０  木立の柄
Ａ６  茣蓙敷物
５１  草木の柄
Ａ７  茣蓙敷物
５２  草木の柄